(57)【要約】      （修正有）【課題】完全燃焼可能なドライバーとパターの木製模造品を納棺し、遺体を豪華に演出して、故人の趣味等を思い起こしつつご冥福を祈ることができる副葬品を提供する。【解決手段】遺体１両側に飾られたドライバー２とパター３の原寸の完全燃焼可能な木製模造品４は、グリップ５とシャフト６及びヘッド７の３点からなる。グリップ５とヘッド７のシャフト６挿入孔を設け、その挿入孔に接着剤を塗って、シャフト６の一端と他端に接着剤を塗って、更に、シャフト６の一端にグリップ５を挿入し、他端にはヘッド７を挿入して接着したドライバ−２及びパタ−３からなる納棺時に入れるドライバーとパターの副葬品とする。【選択図】図１
0003165228.tif 000002
【実用新案登録請求の範囲】
【請求項１】
遺体１両側に飾られたドライバー２とパター３の原寸の完全燃焼可能な木製模造品４は、グリップ５とシャフト６及びヘッド７の３点からなり、グリップ５とヘッド７のシャフト６挿入孔８を設け、その挿入孔８に接着剤９を塗って、シャフト６の一端１０と他端１１に接着剤９を塗って、更に、シャフト６の一端１０にグリップ５を挿入し、他端１１にはヘッド７を挿入して接着したドライバ−２及びパタ−３からなる遺体飾り構造。
【請求項２】
前記遺体１両側に飾られたドライバー２とパタ−３の原寸の完全燃焼可能な木製模造品４からなる遺体飾り構造であって、全て白木によることを特徴とする請求項１記載の遺体飾り構造。
【考案の詳細な説明】
【技術分野】
【０００１】  本考案は、納棺時に故人がゴルフ用具の愛用していたドライバーとパターの原寸は、完全燃焼可能な木製模造品を納棺し、遺体を豪華に演出して、故人の趣味等を思い起こしつつご冥福を祈ることに関するものである。
【背景技術】
【０００２】  故人が愛用物品であるドライバーとパターの原寸は、完全燃焼可能な木製模造品を納棺し、遺体の両側に飾りつけることにより、豪華に演出して、故人の趣味等を思い起こしつつご冥福を祈り、家族の思いが満たされるものが考案されたものである。
【先行技術文献】
【特許文献】
【０００３】  従来からの技術として公開されたものでは「棺内供養品」、「副葬用セット」、「副葬品アイフレンド」の遺体を飾り付けるものとして次に示すものがある。
【特許文献１】特開平８−１１７２９７は、「棺内供養品」に係る発明は、ゴルフクラブ、ゴルフボール、ティー、キャディーバック等のゴルフ用具を模造した形態をなし、棺の中に遺体とともに収容される棺内供養品である。その構成は、故人の葬儀に際し、その故人の趣味等を偲びつつ冥福を祈ることができるようにする。棺内の遺体に、例えばゴルフ用具（ドライバー、アイアン、パター等のクラブ、ボール、ティー、マーカー、キャディーバッグ、靴等を模造した形態の棺内供養品等）を、紙、布、樹脂その他適宜の材料により形成する。
【実用文献２】
特開平１０−３３６０３は、「副葬用セット」に係る発明である。
その構成は、故人の愛用物品の多くは、その少なくとも一部が金属やガラスなどの不燃焼性材料であるため、火葬に先立ってこれらの愛用物品を棺内に納入することができなかった。
故人の愛用物品、例えばボトルとグラスを、木材をもって同形のボトル模型とグラス模型を形成して副葬品となし、この副葬品を白木作りの箱内に収納して故人と共に棺内に納入できる副葬用セットとなし、これらの副葬品または副葬セットを故人と共に火葬できるようにした。
【実用文献３】
実用新案登録第３０８１８１８号は、「副葬品アイフレンド」に係る考案である。
その構成は、めがねは非腐食性、難燃性のため、火葬ガマを劣化させるおそれがある。副葬品として、棺に納められない。
【０００４】  めがねを腐食性、可燃性の物質で象徴化してつくり、副葬可能とする。
【０００５】  しかし、上記いずれの遺体飾りものは、既製された物の模型をのせたり、はさんだりして飾り立てても余りにも義務的であって、遺族、親族は、友人、知人に対して、他界した故人の愛用していたものを納棺しても、旅出を美しく飾ってあげる満足感を得ることができないなどの問題点があった。
【考案の開示】
【考案が解決しようとする課題】
【０００６】  この考案に係る納棺時に遺体両側に飾られたドライバーとパターの原寸の完全燃焼可能な木製模造品は、グリップとシャフト及びヘッドの３点からなり、それぞれは接着剤により接着され、ドライバー及びパターからなる遺体飾りの構造である。【０００７】  遺体両側に飾られたドライバーとパターの原寸であるので、故人の愛用してたものを納棺したものと思い込み、白木であっても義務的とはあまり感じることは無く、葬儀に参列した遺族、親族は、友人、知人に対して、旅出を美しく飾ってあげる満足感を得ることができるものである。
【課題を解決するための手段】
【０００８】  上記目的を有する請求項１の遺体両側に飾られたドライバーとパターの原寸の完全燃焼可能な木造模造品は、グリップとシャフト及びヘッドの３点からなり、グリップとヘッドのシャフト挿入孔を設け、その挿入孔に接着剤を塗って、シャフトの一端と他端に接着剤を塗って、更に、シャフトの一端にグリップを挿入し、他端にはヘッドを挿入して接着したドライバー及びパターからなる遺体飾りの構造である。【０００９】  そして、請求項２の考案に係るものは、遺体両側に飾られたドライバーとパターの原寸の完全燃焼可能な木製模造品からなる遺体飾りの構造であって、白木によることを特徴とする請求項１記載の遺体飾りの構造である。
【考案の効果】
【００１０】  以上、説明したように、本考案のお棺に納められた遺体の装飾は、遺体の尊厳と遺族の他界された方への思いやり及び他界への旅支を備えたものである。
お棺に納められた遺体の副装飾は、遺体両側に飾られたドライバーとパターの原寸の完全燃焼可能な木製模造品は、白木によることを特徴とするものであるから、火葬の際、木製の効果により火力が強くなり、火葬時間の短縮と遺骨が白く綺麗に火葬され、火葬関係者の火葬待ち時間の短縮が計られる効果があるほか、焼却炉の損傷はない等の優れた効果を有するものである。
【図面の簡単な説明】
【００１１】
【図１】  本考案のドライバーとパターの原寸の完全燃焼可能な木製模造品は、納棺しに際し、遺体両側に飾られた平面図である。
【図２】  本考案のドライバーとパターの原寸の完全燃焼可能な木製模造品は、納棺しに際し、遺体両側に飾られた斜視図である。
【図３】  遺体を納棺し、棺の左側にある側壁を取り除いた側面図である。
【図４】  本考案のドライバーの中央断面図である。
【図５】  本考案のパターの中央断面図である。
【図６】  本考案のパターとドライバーの製作説明図であり、（ａ）はシャフトの側面図である（ｂ）はグリップの中央断面図である。（ｃ）はヘッドの中央断面図である。そして、右側は、ドライバーのヘッドであり、左側はパターのヘッドである。
【考案を実施するための最良の形態】
【００１２】
【実施例】
【００１３】  図１は、本考案のドライバー２とパター３の原寸の完全燃焼可能な木製模造品は、納棺しに際し、遺体１両側に飾られた平面図である。
図２は、本考案のドライバー２とパター３の原寸の完全燃焼可能な木製模造品は、納棺しに際し、遺体１両側に飾られた斜視図である。
図３は、遺体１を納棺し、棺の左側にある側壁を取り除いた側面図である。
図４は、本考案のドライバー２の中央断面図である。
図５は、本考案のパター３の中央断面図である。
図６は、本考案のドライバー２とパター３の作成説明図であり、（ａ）はシャフト６、（ｂ）はグリップ５で、（ｃ）はヘッド７である。【００１４】  以下、本考案に係る考案について、図面に基づいてその手順を説明する。
１番目には、図１及び図２の平面図及び斜視図に示すように、遺体１を納棺し、遺体１の左右に原寸の完全燃焼可能な木製模造品で作られたドライバー２とパター３を棺内に納棺することになる。
遺体１の故人であった愛用の副葬品として、向かって右側にドライバー２を置き、向かって左側にパター３を納棺して、故人を偲びご冥福をお祈りするものである。【００１５】  ２番目には、図３に示すように、遺体１を納棺し、棺の左側にある側壁を取り除いた側面図である。【００１６】  ３番目には、図４に示すように、本考案のドライバー２の中央断面図であり、これら全て木製品である。
ドライバー２は、グリップ５とシャフト６及びヘッド７の３点から構成されており、シャフト６の両端に接着剤９を塗り、グリップ５のシャフト６挿入孔８に接着剤９を塗って、シャフト６の一端１０にグリップ５を挿入し、他端１１にはヘッド７を挿入して、ドライバー２を製作し、余分な接着剤９を取り除いてドライバー２を製造する。【００１７】  ４番目には、図５に示すように、本考案のパター３の中央断面図であり、これら全て木製品である。
パター３は、グリップ５とシャフト６及びヘッド７の３点から構成されており、シャフト６の両端に接着剤９を塗り、グリップ５のシャフト６挿入孔８に接着剤９を塗って、シャフト６の一端１０にグリップ５を挿入し、他端１１にはヘッド７を挿入して、パター３を製作し、余分な接着剤９を取り除いてパター３を製造する。【００１８】  ５番目には、図６に示すようにドライバー２とパター３の製作説明の図面である。（ａ）はシャフト６であって、シャフト６の一端１０と他端１１に接着剤９を塗って置き、（ｂ）はグリップ５の中央断面図であって、グリップ５のシャフト６挿入孔８に接着剤９を塗って置き、更に（ｃ）はヘッド７の中央断面図であって、ヘッド７のシャフト６挿入孔８に接着剤９を塗っておいて、それぞれシャフトの一端１０と他端１１にグリップ５とヘッド７を挿入孔８に挿入して接着し、余分な接着剤を取り除いて、それぞれドライバー２とパター３のクラブを製造するものである。【００１９】  遺体１両側に飾られたドライバー２とパター３の原寸の完全燃焼可能な木製４模造品は、グリップ５とシャフト６及びヘッド７の３点からなり、グリップ５とヘッド７のシャフト６挿入孔８を設け、その挿入孔８に接着剤９を塗って、シャフト６の一端１０と他端１１に接着剤９を塗って、更に、シャフト６の一端１０にグリップ５を挿入し、他端１１にはヘッド７を挿入して接着し、ドライバー２とパター３を形成し、この遺体１両側に飾られたドライバー２とパター３は、全て白木によることを特徴とするものである。
【産業上の利用可能性】
【００２０】  したがって、本考案お棺に納められた遺体の副葬品は、ドライバーとパターの原寸は、完全燃焼可能な木製品から作られているものであるから軽量でその取扱いは極めて簡単であり、その飾り付けは専門家でなくとも、家族、親族の見ている前で飾り付けが簡単に出来るものである。
【符号の説明】
【００２１】  １  遺体
２  ドライバー
３  パター
４  木製模造品
５  グリップ
６  シャフト
７  ヘッド
８  挿入孔
９  接着剤
１０  一端
１１  他端
【図１】
0003165228.tif 000003
【図２】
0003165228.tif 000004
【図３】
0003165228.tif 000005
【図４】
0003165228.tif 000006
【図５】
0003165228.tif 000007
【図６】
0003165228.tif 000008
【手続補正書】
【提出日】平成22年10月18日(2010.10.18)
【手続補正１】
【補正対象書類名】実用新案登録請求の範囲
【補正対象項目名】全文
【補正方法】変更
【補正の内容】
【実用新案登録請求の範囲】
【請求項１】
遺体１両側に飾られたドライバー２とパター３の原寸の完全燃焼可能な木製模造品４は、グリップ５とシャフト６及びヘッド７の３点からなり、グリップ５とヘッド７のシャフト６挿入孔８を設け、その挿入孔８に接着剤９を塗って、シャフト６の一端１０と他端１１に接着剤９を塗って、更に、シャフト６の一端１０にグリップ５を挿入し、他端１１にはヘッド７を挿入して接着したドライバ−２及びパタ−３からなる納棺時に入れるドライバーとパターの副葬品。
【請求項２】
前記遺体１両側に飾られたドライバー２とパタ−３の原寸の完全燃焼可能な木製模造品４からなる遺体飾り構造であって、全て白木によることを特徴とする請求項１記載の納棺時に入れるドライバーとパターの副葬品。